(57)【要約】【課題】開放時に自然発生的な望ましくない跳ね掛けのない標的抽出のための使い捨て計量分配装置を創成する。【解決手段】液体、ペースト、及び、他の流動性又は自由流動する材料のための使い捨て計量分配装置は、貯蔵区画（１８）と封止部分（２０）とを有する吸収部分（１６）を具備する充填可能で封止可能なプラスチック外被（１２）を含む。封止部分（２０）は、引裂シーム（２２）によって吸収部分（１６）から分離される。適合された塗布器（１４）、及び、プラスチック外被（１２）からの材料を計量分配する通路（４０）。通路（４０）を閉塞する封止装置（３８）は、プラスチック外被（１２）の封止部分（２０）の一部を形成する分離部分（４２）によって、塗布器（１４）に形成される。塗布器（１４）の通路（４０）を通じて材料を計量分配するために、分離部分（４２）を用いて封止装置（３８）を塗布器（１４）から取り外し得る。【選択図】図１
2006315762.tif 000002
【特許請求の範囲】
【請求項１】
液体、ペースト、及び、流動性の自由流動する材料のための使い捨て計量分配装置であって、
前記材料を貯蔵するための区画と封止部分とを含む吸収部分を備え、且つ、引裂シームによって前記吸収部分から分離される、充填可能で封止可能なプラスチック外被と、
前記プラスチック外被内に収容された塗布器と、
前記プラスチック外被からの材料を放出するために、前記吸収部分に接続された通路と、
該通路を閉塞し、且つ、前記プラスチック外被の前記封止部分の一部を形成する分離部分によって前記塗布器に形成された封止装置とを含み、
該封止装置は、前記塗布器の前記通路を介して前記材料を計量分配するために、前記分離部分によって前記塗布器から取り外し可能である、
使い捨て計量分配装置。
【請求項２】
前記通路のための前記封止装置と、前記プラスチック外被の前記吸収部分と前記封止部分との間の前記引裂シームと反対側の前記塗布器との間の前記分離部分は、前記貯蔵区画から見て外方を向く方向に位置ズレしている、請求項１に記載の使い捨て計量分配装置。
【請求項３】
前記封止装置は、好ましくは、前記封止装置のテーパ付き又はペグ形状端部の形態の活性化装置を含む、請求項１に記載の使い捨て計量分配装置。
【請求項４】
前記活性化装置は、前記封止部分と連結される、請求項３に記載の使い捨て計量分配装置。
【請求項５】
前記塗布器は、本質的にピン形状に構成される、請求項１に記載の使い捨て計量分配装置。
【請求項６】
前記塗布器は、前記プラスチック外被の前記貯蔵区画から見て外方を向く内部ネック端部に嵌入し、且つ、好ましくは、前記プラスチック外被が係合する溝を含む塗布先端部を含む、請求項１に記載の使い捨て計量分配装置。
【請求項７】
前記塗布器は、軸方向の位置決めのために、前記プラスチック外被上に支持されるリング環を含む、請求項１に記載の使い捨て計量分配装置。
【請求項８】
前記塗布器は、パイプ部分のような放出装置である、請求項１に記載の使い捨て計量分配装置。
【請求項９】
前記塗布器は、放散体又はノズルを含む、請求項１に記載の使い捨て計量分配装置。
【請求項１０】
前記塗布器は、塗布部分を備える、請求項１に記載の使い捨て計量分配装置。
【請求項１１】
前記塗布部分は、ブラシユニットを含む、請求項１０に記載の使い捨て計量分配装置。
【請求項１２】
前記塗布部分は、プラスチックフォームユニットを含む、請求項１に記載の使い捨て計量分配装置。
【請求項１３】
前記貯蔵区画は、第一材料成分を含み、前記塗布器は、第二材料成分を含む、請求項１に記載の使い捨て計量分配装置。
【請求項１４】
前記プラスチック外被は、好ましくは、重ね合わせの標準的パッケージングのために用いられる方法によって、プラスチック膜から製造される熱可塑性重合体から成り、前記プラスチック膜は、縁部周囲の封止後、真空形成を通じて或いは代替的に高圧ガスによって外被に成形される、請求項１に記載の使い捨て計量分配装置。
【請求項１５】
前記材料を放出するための前記貯蔵区画の領域内の前記プラスチック外被を圧縮によって弾性的に変形し得る、請求項１に記載の使い捨て計量分配装置。
【請求項１６】
前記吸収部分は、横方向封止シームと、好ましくは、ネック端部とを含み、前記引裂シームは、前記横方向封止シームに対して本質的に横方向に延在する、請求項１に記載の使い捨て計量分配装置。
【発明の詳細な説明】
【技術分野】
【０００１】
（関連出願の相互参照）
本出願は、２００５年５月１０日に出願された欧州特許出願第０５０１０１６８．２号の優先権の利益を主張する。
（連邦政府の資金提供を受けた研究に関する陳述）
適用なし。
【０００２】
本発明は、液体、ペースト、流動性又は自由流動する材料のための使い捨て計量分配装置に関する。
【背景技術】
【０００３】
ジェル、粉末状材料、及び、材料混合物を含む上述の材料のための使い捨て計量分配装置は、化粧品及び医療部門において特に有用である。そのような使い捨て計量分配装置は、一方では、可能な限り費用効率的に製造可能であるべきであり、他方では、信頼性があり且つ使用が容易であるべきである。それらは、耐天候的に貯蔵し及び損傷のなく搬送するに足るほどに頑丈で漏れないものでなければならない。
【０００４】
使い捨て容器は、米国特許第４，９８２，８２８号及びドイツ国公報第ＤＥ１０００９６２９Ａ１号の双方から既知であり、塗布器、及び、流動性材料のための貯蔵区画、並びに、穿孔又は剥離装置で開放可能な放出区画を含み、塗布器は放出区画内に構成される。残念ながら、剥離、引剥がしプロセス、又は、穿孔の開裂は、材料の望ましくない跳ね掛けを引き起こす。
【発明の開示】
【発明が解決しようとする課題】
【０００５】
本発明の目的は、開放時に自然発生的な望ましくない跳ね掛けのない標的抽出のための前記の種類の使い捨て計量分配装置を創成することである。この目的は、本発明を組み込んだ使い捨て計量分配装置によって達成される。
【課題を解決するための手段】
【０００６】
本発明の１つの実施態様は、液体、ペースト、及び、他の流動性又は自由流動する材料のための使い捨て計量分配装置を提供する。使い捨て計量分配装置は、材料を貯蔵するための区画内に吸収部分を有する充填可能で封止可能なプラスチック外被を含み、それは、例えば一端にあるネックと、充填端部の方向と反対側に面する充填端部と、横方向封止シームと、引裂シーム及び／又は穿孔シームによって吸収部分から分離された封止部分と、プラスチック外被内に収容され且つプラスチック外被から材料を放出するための通路を有する塗布器とを有する。加えて、塗布器の通路のための閉塞装置も設けることが可能であり、それは、例えば、分離領域を示す所定の破壊点によって塗布器に形成され、且つ、材料を抽出するために、分離領域によって塗布器から取り外され得る。
【０００７】
よって、使い捨て計量分配装置は、特別に成形されたプラスチックの別個の封止塗布器を含み、好ましくは、塗布器に対する封止装置の一体鋳造によって、それは優れた封止特性を保証する。このようにして、例えば、材料は貯蔵区画からプラスチック外被の封止部分の如何なる既存のキャビティに貫入不能であり、且つ、使い捨て計量分配装置の開放時、そこから不利に逃げ出し得ない。
【０００８】
そのような使い捨て計量分配装置は、医療及び／又は化粧品用途、例えば、鼻薬、目薬、又は、ヨウ素液、並びに、組織及び／又は創傷接合、疣治療チンキ剤、及び／又は、類似の用途に特に適している。
【０００９】
「引裂シーム」という用語は、その線に沿ってプラスチック外被を好適に開裂し得る所定線を示すものと広義に理解される。材料強度の減少によって引裂シームを形成可能であり、穿孔又は類似物を許容する。
【００１０】
本発明に従った使い捨て計量分配装置の特別な実施態様において、引裂シーム及び／又は線と反対側の分離領域は、貯蔵区画から見て外方を向く方向に位置ズレしている。
【００１１】
分離領域のこの構造は、例えば、塗布器と塗布器のための封止装置との間の材料強度の減少、並びに、貯蔵区画とプラスチック外被の封止部分との間の引裂シームによって製造され得るし、使い捨て計量分配装置が開放されているときに、即ち、吸収部分から封止部分を並びに塗布器から封止装置を分離するときに、望ましくない自然発生的な材料の跳ね掛けを防止する効率的な方法である。本発明に従って使い捨て計量分配装置を開放するとき、塗布器のための封止装置は、プラスチック外被の封止部分を用いて同時に取り外される。開放期間中に液滴が塗布器から漏れる場合には、分離領域と引裂シームの位置ズレ配置の故に、それはプラスチック外被の封止部分によって吸収される。よって、この液滴は、使い捨て計量分配装置内に残る。これは化粧品及び／又は医療用途において特に望ましい。
【００１２】
本発明に従った使い捨て計量分配装置の好適実施態様において、塗布器のための封止装置は、好ましくは封止装置のテーパ付き又はペグ形状端部を示す活性化タブを含む。もし塗布器のための封止装置のこの端部がテーパ付きパドル状先端部の形態に成形されるならば、これはプラスチック外被の封止部分内の封止装置の良好な実施態様を達成する。この種類の設計は、プラスチック外被の封止部分のための大きな作動面をもたらし、それは、本質的に、塗布器のための封止装置とプラスチック外被の封止部分の同時取り外しのためのさらなる利点を示す。
【００１３】
もし封止装置の活性化装置が封止部分と連結されているならば、塗布器のための封止装置を取り外すことは特に容易である。よって、好適には所定の剛性を備えて設計される封止部分をプラスチック外被の貯蔵区画から外すことは、塗布器からの封止装置の取り外し及び／又は解放を直接的に引き起こす。
【００１４】
使い捨て計量分配装置を製造することは、本質的に、２つの構成部品が相互に接続されることを必要とする。即ち、初めに、封止装置を具備する塗布器がプラスチック外被内に挿入されなければならない。次に、塗布器がプラスチック外被内に確実に嵌入するよう、プラスチック外被は封止されなければならない。加えて、封止部分とプラスチック外被の貯蔵区画との間の引裂シーム及び／又は引裂線が依然として構成されなければならないが、標準的な工具を用いて迅速、正確、且つ、確実になされ得る。
【００１５】
プラスチック外被は、相互に封止された２つの膜から形成されるのが好ましい。この場合には、「封止」は、プラスチック又は他の材料から成る使い捨て計量分配装置の領域を結合するための如何なる適切な方法をも意味する。例えば、封止のために、プラスチック膜又は類似材料を相互に結合するのに適した熱封止プロセス、冷間封止プロセス、超音波溶接のような溶接プロセス、又は、他の冷間形成プロセスを用い得る。
【００１６】
本発明に従った使い捨て計量分配装置のプラスチック外被は、熱可塑性重合体から成るのが好ましく、それは重ね合わせの標準的なパッケージングのために用いられる方法によってプラスチック膜から製造されるのが好ましく、それは、縁部周囲の封止後、真空成形によって或いは代替的に高圧ガスを用いることによって外被に成形される。このようにして、特に費用効率的な使い捨て計量分配装置を製造することが可能であり、それは封止シーム並びに引裂シームを容易に備え得る。
【００１７】
頂部及び底部上で開放するアンプルの形態の２つの膜からもプラスチック外被を製造可能であり、それは、封止装置が形成される所望の塗布器との組立後、引裂シーム及び追加的な封止シームを備え得る。この方法を用いて製造されるプラスチック外被は、両側部で概ね凸状であり、それは、使い捨て計量分配装置を活性化するために、プラスチック外被のために適切な材料及び壁厚が選択されるならば、プラスチック外被を圧縮によって弾性的に変形し得るという利点を有する。このようにして、プラスチック外被の貯蔵区画から引裂シームに沿って封止部分を引き剥がし、引き続き、塗布器から封止装置を引き剥がした後、使用者は、プラスチック外被の単一又は複数の圧縮によって、貯蔵区画内にある材料を塗布器に意図的に負荷することが可能であり、その結果、この材料は使い捨て計量分配装置から計量分配される。
【００１８】
使い捨て計量分配装置の製造期間中、塗布器を後に閉塞される上部又は下部開口を通じてプラスチック外被内に容易に挿入しうるよう、塗布器は、鉛筆形状の設計を有するのが好ましい。
【００１９】
塗布器は、プラスチック外被の充填端部から見て外方を向くネック部分内に嵌入する拡大又は減少直径のネック端部を含むことができ、好ましくは、プラスチック外被が係合する溝を含み、塗布器がプラスチック外被内に確実に嵌入するのを保証する。
【００２０】
加えて、塗布器は、軸方向の位置決めのためにプラスチック外被状に支持されるリング環を含むことができ、塗布器の所定の軸方向位置を保証する。
【００２１】
最も単純な場合には、塗布器は、パイプ部分の形態に構成される放出装置であり、それはプラスチック外被のネック端部内に嵌入される。しかしながら、塗布器の多様な形態が考えられる。よって、塗布器は、例えば、放散体、ブラシ、内部テーパ及び／又は類似物体を備える出口ノズルを含み得る。
【００２２】
本発明に従った使い捨て計量分配装置の他の特別な実施態様において、塗布器は塗布部分を備え、それは塗布器の固定部分に接続されている。例えば塗布期間中に各人物の皮膚に接触するようになるそのような塗布部分は、別個の構成部品であり得るし、或いは、塗布器と一体的な部分として製造され得る。
【００２３】
塗布部分は、ブラシユニット又はプラスチックフォームユニットを含み得る。特にこの場合には、封止装置と塗布器との間の塗布領域がブラシ及び／又はプラスチックフォームユニット内に含まれるよう、塗布器の通路はこの領域、即ち、ブラシユニット及び／又はプラスチックフォームユニットのレベルで終端するのが好ましい。この場合には、ブラシ及び／又はプラスチックフォームユニットは、使い捨て計量分配装置の開放時の跳ね掛け防護としても役立つ。
【００２４】
貯蔵区画が第一材料成分を収容し、塗布器が第二材料成分を収容し得るよう、本発明に従った使い捨て計量分配装置を構成し得る。具体的には、塗布器の塗布部分内に挿入される、例えば、ブラシ毛又はプラスチックフォームユニットによって、粉末、ペースト、又は、液体であり得る第二材料成分を吸収し得る。使い捨て計量分配装置が開放されるとき、及び、後続の貯蔵区画からの第一材料成分の放出の期間中、それは次に第二材料成分と混合される。貯蔵区画及び塗布部分の適切な設計によって混合比を決定し得る。
【００２５】
本発明の主題のさらなる利点及び有利な実施態様は、明細書、図面、及び、請求項中に見い出され得る。
【００２６】
図面は、本発明に従った使い捨て計量分配装置の３つの実施態様を簡単に概略的に示している。
【発明を実施するための最良の形態】
【００２７】
図１は、使い捨て計量分配装置１０を示しており、使い捨て計量分配装置は、プラスチック外被１２と、プラスチック外被１２内に収容され、且つ、例えば、鼻薬又は目薬に適した塗布器１４を含む。
【００２８】
プラスチック外被１２は、相互に封止された２つの膜から形成され、貯蔵区画１８を構成する吸収部分１６を含む。よって、この場合には、貯蔵区画１８は液体を貯蔵するために用いられる。さらに、プラスチック外被１２は、吸収部分と一体に構成され、且つ、引裂線及び／又はシーム２２を通じて吸収部分と分離される封止部分２０を含む。
【００２９】
本発明に従った使い捨て計量分配装置の外被のための材料として多様なプラスチックを用い得る。深絞り成形法を用いるその製造は、好ましくは、熱可塑性重合体、具体的には、障壁効果を備える熱可塑性重合体の複合材膜、例えば、ＰＥ、ＰＥＴ、ＰＶＤＣ、ＣＯＣ、アルミニウム中間層、及び、類似材料から成る膜を使用する。
【００３０】
吸収部分１６は、ネック端部２４と、ネック端部から見て外方を向く充填端部２６とを含み、使い捨て計量分配装置１０の製造期間中、液体は充填端部を通じて貯蔵区画１８に導入され、それは後に封止工具によって閉塞される。プラスチック外被１２は、側面上に封止シーム２８及び３０を有し、それらは吸収部分１６及び封止部分２０に沿って延在している。
【００３１】
例証されているプラスチック外被１２は、小さなボトル及び／又はアンプルの形態に設計され、従って、凸状である。しかしながら、外被１２の輪郭、その充填端部２６、及び、そのネック端部２４の構造は、ここに例証されている設計から多くの方法で異なり得る。
【００３２】
塗布器１４は、ネック端部２４に嵌入する拡大直径の挿入端部３２を含むパイプ部分の形態に構成されている。加えて、塗布器１４は、プラスチック外被１２上の軸方向の位置決めのために支持されたリング環３４を含む。追加的な固定をもたらすために、環状溝３６が塗布器１４上に構成され、プラスチック外被１２の材料が環状溝内に係合する。
【００３３】
塗布器１４は、貯蔵区画１８から見て外方を向く側部上に封止装置３８を備え、それは塗布器１４と一体部材として製造され、且つ、塗布器１４の軸方向通路４０を閉塞する働きをする。この目的のために、封止装置３８は、分離地点を示すテーパ付き分離部分４２によって塗布器１４に形成されている。
【００３４】
封止装置３８は、タブ状のテーパ付き端部部分４４を含み、端部部分は、活性化装置を示し、且つ、プラスチック外被１２に連結されている。この連結は、プラスチック外被１２に沿った横方向に走る封止シーム４６によってもたらされている。
【００３５】
使い捨て計量分配装置が開放されるときの跳ね掛けを回避するために、引裂シーム２２に面する分離部分４２は、貯蔵区画１８から見て外方を向く方向に位置ズレしている。
【００３６】
製造期間中、多数の使い捨て計量分配装置を隣り合って配置可能であり、そこでは、穿孔された分離線によって個々の使い捨て計量分配装置を相互に分離可能であり、その結果、膜によって繋ぎ合わされた使い捨て計量分配装置の全鎖が得られる。次に、使用者は１つのユニットを一度に単に引き裂く。使い捨て計量分配装置を打ち抜くか、或いは、鎖内の使い捨て計量分配装置の間のプラスチック膜部分を打ち抜き、接続部としてのウェブのみを残す可能性もある。
【００３７】
図２は、ブラシユニットによって示される塗布部分５４を備える塗布器５２を含む点を除き、図１に従った使い捨て計量分配装置に本質的に対応する使い捨て計量分配装置５０を示している。塗布部分５４は、環状支持部５６及び毛部分５８によって形成され、貯蔵区画１８から見て外方を向く塗布器５２の円筒部分６０上に押し込まれている。
【００３８】
さらに、塗布器５２は、ペグの形態に成形され、且つ、図１の設計に従った分離部分４２を通じて塗布器５２に形成された封止装置を備え、それによって、軸方向通路４０を閉塞する。分離部分４２は、ブラシユニット５２の毛部分５８のレベルに配置され、従って、それによって径方向に取り囲まれている。代替的に、塗布器５２の一体成形されたリング環に毛部分を直接的に取り付け得る。他の特徴に関しては、使い捨て計量分配装置組立体５０は、図１に従った使い捨て計量分配装置の特徴に対応する。
【００３９】
図３は、図２に従った使い捨て計量分配装置に本質的に対応する使い捨て計量分配装置７０を例証しているが、塗布器５２の代わりに、塗布部分を示すブラシユニットを有し、それは塗布器７２を含み、プラスチックフォームユニットの形態に構成された塗布部分７２を備える。
【００４０】
使用期間中、封止部分２０は、封止装置６２と共に、吸収部分１６及び／又は塗布器７２から分離される。吸収部分１６上を押圧することによって、貯蔵区画１８内に収容される液体材料は、塗布器の軸方向通路４０を通じて送り出されるので、プラスチックフォームユニット７４は材料で含浸され、それは次に塗布され得る。図２に従った実施態様では、この方法は毛部分５８を含浸さえるために用いられる。
【００４１】
現時点において最適と考えられる本発明の実施態様が図示され且つ記載されたが、添付の請求項によって定められる本発明の範囲から逸脱することなく、多様な変更及び修正をなし得ることが当業者に明らかであろう。従って、発明と見做される手段を具体的に指し示し且つ明確に請求する請求項の範囲内にあるものとして、多様な代替手段及び実施態様を想定し得る。
【図面の簡単な説明】
【００４２】
【図１】本発明に従って構成された塗布器を備える使い捨て計量分配装置を示す概略図である。
【図２】本発明に従って構成された塗布器を備える使い捨て計量分配装置を示す概略図であり、ブラシユニットを備える。
【図３】本発明に従って構成された使い捨て計量分配装置を示す概略図あり、プラスチックフォームユニットを備える。
【符号の説明】
【００４３】
１０  使い捨て計量分配装置
１２  プラスチック外被
１４  塗布器
１６  吸収部分
１８  貯蔵部分
２０  封止部分
２２  引裂線／シーム
２４  ネック端部
２６  充填端部
２８  封止シーム
３０  封止シーム
３２  挿入端部
３４  リング環
３６  環状溝
３８  封止装置
４０  軸方向通路
４２  分離部分
４４  端部部分
４６  封止シーム
５０  使い捨て計量分配装置
５２  塗布器
５４  塗布部分（ブラシユニット）
５６  環状支持部
５８  毛部分
６０  円筒部分
６２  封止装置
７０  使い捨て計量分配装置
７２  塗布器
７４  塗布部分（プラスチックフォームユニット）
【図１】
2006315762.tif 000003
【図２】
2006315762.tif 000004
【図３】
2006315762.tif 000005